(57)【要約】【課題】受信したＯＦＤＭ信号中のパイロットキャリアをより確実に周波数同期させる。【解決手段】ベースバンド信号をフーリエ変換して抽出された仮パイロットキャリアと、該仮パイロットキャリアに近接する複数のキャリアと、を含む各キャリアを復調して、各キャリアのなかから真のパイロットキャリアと同じ所定のシンボル番号に所定のシンボルが記憶されているキャリアを検出し、該キャリアと仮パイロットキャリアとに基づいて広帯域の周波数誤差を検出する広帯域ＡＦＣ回路５を備える。【選択図】図１
2020155871.tif 000002
【特許請求の範囲】
【請求項１】
受信したＯＦＤＭ信号に基づくベースバンド信号をガードインターバル相関して、狭帯域の周波数誤差を検出する狭帯域ＡＦＣ回路を備えるＯＦＤＭ復調装置であって、
前記ベースバンド信号をフーリエ変換して抽出された仮パイロットキャリアと、該仮パイロットキャリアに近接する複数のキャリアと、を含む各キャリアを復調して、前記各キャリアのなかから真のパイロットキャリアと同じ所定のシンボル番号に所定のシンボルが記憶されているキャリアを検出し、該キャリアと前記仮パイロットキャリアとに基づいて広帯域の周波数誤差を検出する広帯域ＡＦＣ回路を備える、
ことを特徴とするＯＦＤＭ復調装置。
【請求項２】
前記広帯域ＡＦＣ回路は、前記仮パイロットキャリアに対して前記所定のシンボル番号に前記所定のシンボルが記憶されているか否かを検出し、次に、前記仮パイロットキャリアに近いキャリアから順に、前記所定のシンボル番号に前記所定のシンボルが記憶されているか否かを検出する、
ことを特徴とする請求項１に記載のＯＦＤＭ復調装置。
【請求項３】
受信したＯＦＤＭ信号に基づくベースバンド信号をガードインターバル相関して、狭帯域の周波数誤差を検出する工程を備えるＯＦＤＭ復調方法であって、
前記ベースバンド信号をフーリエ変換して抽出された仮パイロットキャリアと、該仮パイロットキャリアに近接する複数のキャリアと、を含む各キャリアを復調して、前記各キャリアのなかから真のパイロットキャリアと同じ所定のシンボル番号に所定のシンボルが記憶されているキャリアを検出し、該キャリアと前記仮パイロットキャリアとに基づいて広帯域の周波数誤差を検出する、
ことを特徴とするＯＦＤＭ復調方法。
【請求項４】
請求項１または請求項２のいずか１項に記載のＯＦＤＭ復調装置を備える、
ことを特徴とする中継放送装置。
【発明の詳細な説明】
【技術分野】
【０００１】
本発明は、地上デジタルテレビジョン放送用の受信機などに適用されるＯＦＤＭ復調装置とＯＦＤＭ復調方法、このＯＦＤＭ復調装置を搭載した中継放送装置に関する。
【背景技術】
【０００２】
地上デジタルテレビジョン放送等の変調方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式が広く採用されている。このＯＦＤＭ方式では、送信機内のローカル発振器と、受信機や中継放送装置などに適用されるＯＦＤＭ復調装置内のローカル発振器との間で周波数誤差があると、送信機からのＯＦＤＭ信号中の各サブキャリアの直交性が低下し、ＯＦＤＭ復調装置にてＯＦＤＭ信号を復調した際に、復調信号が劣化するおそれがある。このため、ＯＦＤＭ復調装置内の狭帯域ＡＦＣ（Ａｕｔｏｍａｔｉｃ  Ｆｒｅｑｕｅｎｃｙ  Ｃｏｎｔｒｏｌ、自動周波数制御）回路において、ＯＦＤＭ信号のＩ信号およびＱ信号のガードインターバル相関を取り、この相関に基づいて周波数誤差を検出することで、各キャリアを確実に周波数同期させている。
【０００３】
しかしながら、狭帯域ＡＦＣ回路のみでは、ＯＦＤＭ信号のキャリア間隔で疑似ロック（パイロットキャリアの周波数が別のキャリアの周波数に固定される事象）が生じて、周波数がずれてしまう場合がある。このため、受信したＯＦＤＭ信号中のパイロットキャリアを確実に周波数同期させることができる、というＯＦＤＭ復調装置が知られている（例えば、特許文献１参照）。
【０００４】
このＯＦＤＭ復調装置は、例えば、パイロットキャリアがＴＭＣＣキャリアの場合に、図６に示すように、抽出したＴＭＣＣキャリアと、このＴＭＣＣキャリアに近接する複数（２ｎ個）のキャリアの電力レベルを測定する。次に、ＴＭＣＣキャリアの振幅つまり電力レベルが近接するキャリアの平均振幅よりも大きいことを利用し、電力レベルが最も高いキャリアの周波数をＴＭＣＣキャリアの周波数であるとする。そして、この周波数と先に抽出したＴＭＣＣキャリアの周波数とから周波数誤差を算出して、ＴＭＣＣキャリアを周波数同期させるものである。
【先行技術文献】
【特許文献】
【０００５】
【特許文献１】特許第５０２７５９５号
【発明の概要】
【発明が解決しようとする課題】
【０００６】
ところで、ＤＵ比（Ｄｅｓｉｒｅｄ  ｔｏ  Ｕｎｄｅｓｉｒｅｄ  ｓｉｇｎａｌ  ｒａｔｉｏ）が低いマルチパス妨害波などＯＦＤＭ波の振幅周波数特性が劣化した環境下では、各キャリアの振幅に変動・バラツキが生じる。従って、特許文献１に記載のＯＦＤＭ復調装置では、振幅が最も大きいキャリアの周波数をＴＭＣＣキャリアの周波数であるとするため、誤ったキャリアをＴＭＣＣキャリアとして検出してしまうおそれがある。このような誤検出は、ＴＭＣＣキャリアのみではなく、ＡＣキャリアなど振幅が大きい他のキャリアの検出結果を合わせても、効果的に避けることは困難である。
【０００７】
そこで本発明は、受信したＯＦＤＭ信号中のパイロットキャリアをより確実に周波数同期させることが可能なＯＦＤＭ復調装置、ＯＦＤＭ復調方法および中継放送装置を提供することを目的とする。
【課題を解決するための手段】
【０００８】
上記課題を解決するために、請求項１に記載の発明は、受信したＯＦＤＭ信号に基づくベースバンド信号をガードインターバル相関して、狭帯域の周波数誤差を検出する狭帯域ＡＦＣ回路を備えるＯＦＤＭ復調装置であって、前記ベースバンド信号をフーリエ変換して抽出された仮パイロットキャリアと、該仮パイロットキャリアに近接する複数のキャリアと、を含む各キャリアを復調して、前記各キャリアのなかから真のパイロットキャリアと同じ所定のシンボル番号に所定のシンボルが記憶されているキャリアを検出し、該キャリアと前記仮パイロットキャリアとに基づいて広帯域の周波数誤差を検出する広帯域ＡＦＣ回路を備える、ことを特徴とする。
【０００９】
請求項２に記載の発明は、請求項１に記載のＯＦＤＭ復調装置において、前記広帯域ＡＦＣ回路は、前記仮パイロットキャリアに対して前記所定のシンボル番号に前記所定のシンボルが記憶されているか否かを検出し、次に、前記仮パイロットキャリアに近いキャリアから順に、前記所定のシンボル番号に前記所定のシンボルが記憶されているか否かを検出する、ことを特徴とする。
【００１０】
請求項３に記載の発明は、受信したＯＦＤＭ信号に基づくベースバンド信号をガードインターバル相関して、狭帯域の周波数誤差を検出する工程を備えるＯＦＤＭ復調方法であって、前記ベースバンド信号をフーリエ変換して抽出された仮パイロットキャリアと、該仮パイロットキャリアに近接する複数のキャリアと、を含む各キャリアを復調して、前記各キャリアのなかから真のパイロットキャリアと同じ所定のシンボル番号に所定のシンボルが記憶されているキャリアを検出し、該キャリアと前記仮パイロットキャリアとに基づいて広帯域の周波数誤差を検出する、ことを特徴とする。
【００１１】
請求項４に記載の発明は、請求項１または請求項２のいずか１項に記載のＯＦＤＭ復調装置を備える、ことを特徴とする中継放送装置である。
【発明の効果】
【００１２】
請求項１、請求項３および請求項４に記載の発明によれば、仮パイロットキャリアと近接する複数のキャリアのなかから、真のパイロットキャリアと同じ所定のシンボル番号に所定のシンボルが記憶されているキャリアを検出する。すなわち、真のパイロットキャリアであれば所定のシンボル番号に所定のシンボルが記憶されているため、仮パイロットキャリアを含む複数のキャリアのうち、このようなシンボルが記憶されているキャリアを検出して、真のパイロットキャリアとする。そして、このキャリアと仮パイロットキャリアとに基づいて、つまり、２つのキャリアの周波数に基づいて広帯域の周波数誤差を検出する。このため、狭帯域ＡＦＣ回路で疑似ロックが生じたとしても、受信したＯＦＤＭ信号中のパイロットキャリアをより確実に周波数同期させることが可能となる。また、所定のシンボルの有無に基づいてパイロットキャリアを検出するため、振幅に基づいてパイロットキャリアを検出する場合に比べて、振幅周波数特性の劣化に影響されず、信頼性が高い広帯域の周波数誤差を検出することが可能となる。
【００１３】
請求項２に記載の発明によれば、まず、仮パイロットキャリアに対して所定のシンボルが記憶されているか否かを検出し、次に、仮パイロットキャリアに近いキャリアから順に、所定のシンボルが記憶されているか否かを検出する。すなわち、真のパイロットキャリアに近いと推定されるキャリアから順に検索するため、より迅速に所定のシンボルが記憶されているキャリアを検出して、広帯域の周波数誤差を検出することが可能となる。
【図面の簡単な説明】
【００１４】
【図１】この発明の実施の形態１に係るＯＦＤＭ復調装置の広帯域ＡＦＣ回路周辺を示す概略構成ブロック図である。
【図２】この発明の実施の形態１において、周波数が同期する場合のＴＭＣＣキャリアとこれに近接するキャリアの平均レベルを示す図（ａ）と、疑似ロックして周波数が同期しない場合のＴＭＣＣキャリアとこれに近接するキャリアの平均レベルを示す図（ｂ）である。
【図３】この発明の実施の形態１におけるＯＦＤＭセグメント構成を示す図である。
【図４】この発明の実施の形態２に係るＯＦＤＭ復調装置の第２の広帯域ＡＦＣ回路周辺を示す概略構成ブロック図である。
【図５】この発明の実施の形態２において、周波数が同期する場合のＴＭＣＣキャリアとこれに近接するキャリアの平均レベルを示す図（ａ）と、疑似ロックして周波数が同期しない場合のＴＭＣＣキャリアとこれに近接するキャリアの平均レベルを示す図（ｂ）である。
【図６】従来におけるＯＦＤＭ復調装置のＡＦＣ回路周辺を示す概略構成ブロック図である。
【発明を実施するための形態】
【００１５】
以下、この発明を図示の実施の形態に基づいて説明する。
【００１６】
（実施の形態１）
図１は、この実施の形態に係るＯＦＤＭ復調装置１の広帯域ＡＦＣ回路５周辺を示す概略構成ブロック図である。このＯＦＤＭ復調装置１は、地上デジタルテレビジョン放送用の受信機や中継放送装置などに適用される復調装置であり、この実施の形態では、中継放送装置に搭載した場合について、以下に説明する。また、パイロットキャリアがＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）キャリアの場合について、主として説明する。
【００１７】
この実施の形態では、広帯域ＡＦＣ回路５が設けられている点で従来のＯＦＤＭ復調装置と構成が異なり、その他の構成は従来のＯＦＤＭ復調装置と同等であるため、詳細な説明は省略するが、概略以下のような構成となっている。すなわち、周波数変換部２は、アンテナで受信したＯＦＤＭ信号を、ローカル発振器からのローカル周波数信号と混合して所定の中間周波数信号に変換し、デジタル信号に変換した後に直交復調回路によって直交復調し、Ｉ信号およびＱ信号のベースバンド信号を出力する。
【００１８】
このベースバンド信号を狭帯域ＡＦＣ回路のガードインターバル相関部３とフーリエ変換部４に入力し、ガードインターバル相関部３において、ベースバンド信号のＩ信号およびＱ信号のガードインターバル相関を取り、この相関に基づいて狭帯域の周波数誤差を検出する。ここで、ガードインターバル相関とは、入力した信号を有効シンボルの期間だけ遅延させ、遅延させた信号と入力した信号との相関値を検出するものである。具体的に、この実施の形態では、Ｉ信号とこのＩ信号をＯＦＤＭ信号の有効シンボル長だけ遅延させたＩ信号との相関を取るとともに、Ｑ信号とこのＱ信号を同有効シンボル長だけ遅延させたＱ信号との相関を取る。
【００１９】
次に、これらの相関に基づいて、ＯＦＤＭ信号を送信した送信機内のローカル発振器と、ＯＦＤＭ復調装置１のローカル発振器との間の狭帯域の周波数誤差を検出する。そして、この狭帯域の周波数誤差に基づいてＯＦＤＭ復調装置１のローカル発振器を制御する。このような狭帯域ＡＦＣ回路は、狭い周波数帯域（例えば、後述するキャリア間隔Δρ程度）における周波数誤差を検出、制御するものである。このため、狭帯域ＡＦＣ回路でＯＦＤＭ信号のキャリア間隔で疑似ロックが生じた場合、大きく周波数がずれたままとなる。
【００２０】
このため、このＯＦＤＭ復調装置１には広帯域ＡＦＣ回路５が設けられている。この広帯域ＡＦＣ回路５は、ベースバンド信号をフーリエ変換して抽出された仮パイロットキャリアと、この仮パイロットキャリアに近接する複数のキャリアと、を含む各キャリアを復調して、各キャリアのなかから真のパイロットキャリアと同じ所定のシンボル番号に所定のシンボルが記憶されているキャリアを検出し、このキャリアと仮パイロットキャリアとに基づいて広帯域の周波数誤差を検出する回路である。
【００２１】
すなわち、狭帯域ＡＦＣ回路を経たベースバンド信号をフーリエ変換部４で高速フーリエ変換（ＦＦＴ、Ｆａｓｔ  Ｆｏｕｒｉｅｒ  Ｔｒａｎｓｆｏｒｍａｔｉｏｎ）し、図２に示すように、周波数成分に対する振幅・位相を取得する。広帯域ＡＦＣ回路５は、複数（１＋２ｎ）のキャリア抽出部５１を備え、各キャリア抽出部５１において、フーリエ変換後の電力レベルから仮パイロットキャリアと、この仮パイロットキャリアに近接する複数のキャリアとを抽出する。具体的には、ＴＭＣＣキャリア抽出部５１０は、周波数が合っていれば真のパイロットキャリアとなるべき所定のキャリアを、仮パイロットキャリアとして抽出し、＋１キャリア抽出部５１＋１は、仮パイロットキャリアよりも次に周波数が高いキャリアを抽出し、−１キャリア抽出部５１−１は、仮パイロットキャリアよりも次に周波数が低いキャリアを抽出する。
【００２２】
このように、仮パイロットキャリアを中心にして、周波数が高いｎ個のキャリアと、周波数が低いｎ個のキャリアを抽出する。ここで、各キャリアの周波数間隔Δρは、既知の所定値であり、仮パイロットキャリアから所定周波数（Δρ×Ｎ、Ｎ＝−ｎ，・・・−１，＋１，・・・＋ｎ）ずらすことで、仮パイロットキャリアに近接する２ｎ個のキャリアを抽出する。また、抽出するキャリア数（２ｎ）は、後述する同期信号が確実に検出できるように設定されている。ここで、「Ｎ」は、キャリアオフセット値である。
【００２３】
次に、各キャリア抽出部５１に対応して複数（１＋２ｎ）のＤＢＰＳＫ復調部５２が設けられ、各ＤＢＰＳＫ復調部５２において、キャリア抽出部５１で抽出されたキャリアをＤＢＰＳＫ（Ｄｉｆｆｅｒｅｎｔｉａｌ  Ｂｉｎａｒｙ  Ｐｈａｓｅ  Ｓｈｉｆｔ  Ｋｅｙｉｎｇ、差動２相位相偏移変調）復調する。すなわち、各キャリアのシンボル群（フレームデータ）を取得する。
【００２４】
続いて、各ＤＢＰＳＫ復調部５２に対応して複数（１＋２ｎ）の同期信号検出部５３が設けられ、各同期信号検出部５３において、ＤＢＰＳＫ復調部５２で復調されたシンボル群の所定のシンボル番号に所定のシンボルが記憶されているか否かを検出する。
【００２５】
具体的に、ＯＦＤＭフレームは、図３に示すようなセグメント構成となっており、周波数が低い順にキャリアを左から右へ並べられ、シンボルを時間順に上から下へ並べられている。１つのシンボルには、ＯＦＤＭのすべてのキャリアの本数分の情報が含まれる。シンボルとキャリアとが交差する各セルは、地上デジタル放送の映像信号および音声信号を構成するデータが格納されたデータキャリアＤＣとなっている。
【００２６】
このようなＯＦＤＭフレームに、ＴＭＣＣキャリアやＡＣキャリアなどのパイロットキャリアが含まれる。そして、真のＴＭＣＣキャリアには、所定のシンボル番号（ビットＢ１〜Ｂ１６）に、フレームの同期タイミングを示す同期信号（所定のシンボル）が記憶されている。このため、各同期信号検出部５３は、ＤＢＰＳＫ復調部５２で復調されたシンボル群・フレームの所定のシンボル番号（ビットＢ１〜Ｂ１６）に、同期信号が記憶されているか否かを検出する。
【００２７】
このように、各キャリアに対してキャリア抽出部５１とＤＢＰＳＫ復調部５２と同期信号検出部５３を備えるが、この実施の形態では、最初に、仮パイロットキャリアに対して所定のシンボル番号に所定のシンボルが記憶されているか否かを検出し、次に、仮パイロットキャリアに近いキャリアから順に、所定のシンボル番号に所定のシンボルが記憶されているか否かを検出する。
【００２８】
すなわち、まず、ＴＭＣＣキャリア抽出部５１０とこれに対応するＤＢＰＳＫ復調部５２と同期信号検出部５３によって、仮パイロットキャリアの所定のシンボル番号に所定のシンボルが記憶されているか否かを検出する。そして、検出されない場合、次に、＋１キャリア抽出部５１＋１または−１キャリア抽出部５１−１とこれに対応するＤＢＰＳＫ復調部５２と同期信号検出部５３によって、同様の検出を行う。さらに、検出されない場合、次にＴＭＣＣキャリア抽出部５１０に近いキャリア抽出部５１などによって同様の検出を行う、という処理を繰り返す。
【００２９】
さらに、キャリアオフセット推定部５４が設けられ、各同期信号検出部５３の検出結果に基づいて、広帯域の周波数誤差を演算、検出する。すなわち、所定位置に同期信号が記憶されているという検出結果（検出有り）を受けた同期信号検出部５３のキャリアオフセット値Ｎに、キャリア間隔Δρを乗算した値を広帯域の周波数誤差として演算、検出し、周波数変換部２に入力する。例えば、ＴＭＣＣキャリア抽出部５１０の同期信号検出部５３から検出有りを受けた場合、広帯域の周波数誤差を「０」（＝Δρ×０）と検出し、＋１キャリア抽出部５１＋１の同期信号検出部５３から検出有りを受けた場合、広帯域の周波数誤差を「Δρ」（＝Δρ×１）と検出する。
【００３０】
そして、周波数変換部２は、広帯域の周波数誤差に基づいてＯＦＤＭ復調装置１のローカル発振器を制御する。このように、広帯域ＡＦＣ回路５は、広い周波数帯域（全キャリア帯域）においてキャリア間隔Δρ単位で周波数誤差を検出、制御するものであり、狭帯域ＡＦＣ回路によってＯＦＤＭ信号のキャリア間隔Δρで疑似ロックが生じた場合でも（パイロットキャリアが別のキャリア位置にずれても）、広帯域の周波数誤差を検出してパイロットキャリアを周波数同期させるものである。
【００３１】
このような構成のＯＦＤＭ復調装置１の作用および、ＯＦＤＭ復調装置１によるＯＦＤＭ復調方法によれば、仮パイロットキャリアと近接する複数のキャリアのなかから、真のパイロットキャリアと同じ所定のシンボル番号に所定のシンボルが記憶されているキャリアを検出する。すなわち、真のパイロットキャリアであれば所定のシンボル番号に所定のシンボルが記憶されているため、仮パイロットキャリアを含む複数のキャリアのうち、このようなシンボルが記憶されているキャリアを検出して、真のパイロットキャリアとする。そして、この真のパイロットキャリアと仮パイロットキャリアとに基づいて、つまり、２つのキャリアの周波数に基づいて広帯域の周波数誤差を検出する。このため、狭帯域ＡＦＣ回路で疑似ロックが生じたとしても、受信したＯＦＤＭ信号中のパイロットキャリアをより確実に周波数同期させることが可能となる。
【００３２】
例えば、狭帯域ＡＦＣ回路で疑似ロックが生じ、図２（ｂ）に示すように、仮ＴＭＣＣキャリアが図２（ａ）に示す真のＴＭＣＣキャリアからずれたキャリアに位置したとしても、仮ＴＭＣＣキャリアと真のＴＭＣＣキャリアの周波数差である広帯域の周波数誤差が検出されるため、ＴＭＣＣキャリアをより確実に周波数同期させることが可能となる。
【００３３】
また、所定のシンボルの有無に基づいてパイロットキャリアを検出するため、振幅に基づいてパイロットキャリアを検出する場合に比べて、振幅周波数特性の劣化に影響されず、信頼性が高い広帯域の周波数誤差を検出することが可能となる。
【００３４】
また、最初に、仮パイロットキャリアに対して所定のシンボルが記憶されているか否かを検出し、次に、仮パイロットキャリアに近いキャリアから順に、所定のシンボルが記憶されているか否かを検出する。すなわち、真のパイロットキャリアに近いと推定されるキャリアから順に検索するため、より迅速に所定のシンボルが記憶されているキャリアを検出して、広帯域の周波数誤差を検出することが可能となる。
【００３５】
（実施の形態２）
図４は、この実施の形態に係るＯＦＤＭ復調装置１の第２の広帯域ＡＦＣ回路６周辺を示す概略構成ブロック図である。この実施の形態では、上記の広帯域ＡＦＣ回路５と第２の広帯域ＡＦＣ回路６とを備え、２つの回路を切り替える点で実施の形態１と構成が異なり、実施の形態１と同等の構成については、同一符号を付することでその説明を省略する。
【００３６】
第２の広帯域ＡＦＣ回路６は、ベースバンド信号をフーリエ変換して取得された周波数成分と電力レベルとの関係に基づいて、ＯＦＤＭ波の周波数帯域の外側の電力レベルを検出し、該検出結果とキャリア１つ当たりの電力レベルとに基づいて、パイロットキャリアがいくつのキャリア分だけずれているかを演算し、広帯域の周波数誤差を検出する回路である。
【００３７】
すなわち、狭帯域ＡＦＣ回路を経たベースバンド信号をフーリエ変換部４でフーリエ変換し、図５に示すように、周波数成分に対する振幅・電力レベルを取得する。第２の広帯域ＡＦＣ回路６は、キャリア外低抽出部６１とキャリア外高抽出部６２とを備える。キャリア外低抽出部６１は、ＯＦＤＭ波よりも低周波数側に位置する周波数成分を抽出し、キャリア外高抽出部６２は、ＯＦＤＭ波よりも高周波数側に位置する周波数成分を抽出する。
【００３８】
具体的には、図５に示すように、キャリア外低抽出部６１は、ＯＦＤＭ波の周波数帯域ＦＯよりも低周波数帯域ＦＬに位置する周波数成分を抽出し、キャリア外高抽出部６２は、ＯＦＤＭ波の周波数帯域ＦＯよりも高周波数帯域ＦＨに位置する周波数成分を抽出する。ここで、低周波数帯域ＦＬと高周波数帯域ＦＨは、周波数帯域ＦＯを考慮してＯＦＤＭ波の外側の周波数成分が確実に抽出できるように設定されている。
【００３９】
次に、キャリア外低抽出部６１とキャリア外高抽出部６２とに対して、レベル測定部６３、６４が設けられている。低側レベル測定部６３は、キャリア外低抽出部６１で抽出された周波数成分の電力レベルを測定、検出し、高側レベル測定部６４は、キャリア外高抽出部６２で抽出された周波数成分の電力レベルを測定、検出する。
【００４０】
さらに、キャリアオフセット推定部６５が設けられ、レベル測定部６３、６４で検出された電力レベルとキャリア１つ当たりの電力レベルとに基づいて、パイロットキャリアがいくつのキャリア分だけずれているかを演算して、広帯域の周波数誤差を検出する。まず、低側レベル測定部６３で検出された電力レベルと高側レベル測定部６４で検出された電力レベルのうち、大きい側の電力レベルを選択する。
【００４１】
次に、例えば、低側レベル測定部６３で検出された電力レベルが大きい場合、この電力レベルをキャリア１つ当たりの電力レベルで除算する。ここで、キャリア１つ当たりの電力レベルは、予め設定、記憶されている。そして、この除算値に基づいていくつのキャリア分だけずれているか、つまり、キャリアオフセット値Ｎを演算する。例えば、除算値がゼロに近い場合、キャリアオフセット値Ｎをゼロとし、除算値が１に近い場合、キャリアオフセット値Ｎを−１などとする。同様に、高側レベル測定部６４で検出された電力レベルが大きい場合、この電力レベルをキャリア１つ当たりの電力レベルで除算してキャリアオフセット値Ｎを演算する。例えば、除算値がゼロに近い場合、キャリアオフセット値Ｎをゼロとし、除算値が１に近い場合、キャリアオフセット値Ｎを＋１などとする。
【００４２】
続いて、このキャリアオフセット値Ｎにキャリア間隔Δρを乗算した値を、広帯域の周波数誤差として演算、検出し、周波数変換部２に入力する。そして、周波数変換部２は、広帯域の周波数誤差に基づいてＯＦＤＭ復調装置１のローカル発振器を制御する。このように、第２の広帯域ＡＦＣ回路６は、広い周波数帯域（周波数帯域ＦＯ外を含む帯域）においてキャリア間隔Δρ単位で周波数誤差を検出、制御するものであり、狭帯域ＡＦＣ回路によってＯＦＤＭ信号のキャリア間隔Δρで疑似ロックが生じた場合でも（パイロットキャリアが別のキャリア位置にずれても）、広帯域の周波数誤差を検出してパイロットキャリアを周波数同期させるものである。
【００４３】
このような第２の広帯域ＡＦＣ回路６によれば、ＯＦＤＭ波の周波数帯域ＦＯの外側の電力レベルとキャリア１つ当たりの電力レベルとに基づいて、パイロットキャリアがいくつのキャリア分だけ、高低のどちらにずれているかを演算する。つまり、ＯＦＤＭ信号全体がＯＦＤＭ波の周波数帯域ＦＯの外側に何キャリア分だけ、どちらにずれているかを演算して、広帯域の周波数誤差を検出する。このため、狭帯域ＡＦＣ回路で疑似ロックが生じたとしても、受信したＯＦＤＭ信号中のパイロットキャリアをより確実に周波数同期させることが可能となる。
【００４４】
例えば、狭帯域ＡＦＣ回路で疑似ロックが生じ、図５（ｂ）に示すように、ＯＦＤＭ信号全体が高周波数帯域ＦＨに１キャリア分だけずれた場合、第２の広帯域ＡＦＣ回路６によってキャリアオフセット値Ｎが＋１と演算されて、広帯域の周波数誤差（＋１×Δρ）が検出される。そして、この周波数誤差に基づいてＯＦＤＭ復調装置１のローカル発振器が制御されるため、ＴＭＣＣキャリアをより確実に周波数同期させることが可能となる。一方、図５（ａ）に示すように、ＯＦＤＭ信号全体がＯＦＤＭ波の周波数帯域ＦＯからずれていない場合には、広帯域の周波数誤差がゼロと検出される。
【００４５】
また、ＯＦＤＭ波の周波数帯域ＦＯの外側の電力レベルを測定してパイロットキャリアのずれを検出する簡易な構成のため、迅速に広帯域の周波数誤差を検出することが可能となる。さらに、ＯＦＤＭ波の周波数帯域ＦＯの外側の電力レベルに基づいてパイロットキャリアのずれを検出するため、キャリア自体の振幅に基づいてパイロットキャリアを検出する場合に比べて、振幅周波数特性の劣化に影響されず、信頼性が高い広帯域の周波数誤差を検出することが可能となる。
【００４６】
そして、この実施の形態では、このような第２の広帯域ＡＦＣ回路６と実施の形態１における広帯域ＡＦＣ回路５とを備え、状況に応じて広帯域ＡＦＣ回路５と第２の広帯域ＡＦＣ回路６とを切替部７で切り替える。例えば、通常時には第２の広帯域ＡＦＣ回路６で広帯域の周波数誤差を迅速に検出し、異常が生じた際に、または定期的に、広帯域ＡＦＣ回路５を起動させて広帯域の周波数誤差を精度高く検出する。あるいは、広帯域ＡＦＣ回路５と第２の広帯域ＡＦＣ回路６を同時（並列）に起動させて、双方の広帯域の周波数誤差に基づいて、最終的な広帯域の周波数誤差を判断、検出するようにしてもよい。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、パイロットキャリアがＴＭＣＣキャリアの場合について主として説明したが、パイロットキャリアがＡＣキャリアなどであってもよく、また、所定のシンボルが同期信号でなくてもよく、他のシンボルと確実に識別できるシンボルであればよい。
【００４８】
また、上記の実施の形態１では、ＴＭＣＣキャリア抽出部５１０とこれに対応するＤＢＰＳＫ復調部５２と同期信号検出部５３から順次作動させているが、すべてのＴＭＣＣキャリア抽出部５１とＤＢＰＳＫ復調部５２と同期信号検出部５３を同時（並列）に作動させてもよい。また、上記の実施の形態２において、ＤＦＴ（Ｄｉｓｃｒｅｔｅ  Ｆｏｕｒｉｅｒ  Ｔｒａｎｓｆｏｒｍａｔｉｏｎ、離散フーリエ変換）や狭いＲＢＷ（Ｒｅｓｏｌｕｔｉｏｎ  ＢａｎｄＷｉｄｔｈ、分解能帯域幅）のフィルタなどで、周波数帯域ＦＯ外の電力レベルを抽出、測定してもよい。
【符号の説明】
【００４９】
１        ＯＦＤＭ復調装置
２        周波数変換部
３        ガードインターバル相関部
４        フーリエ変換部
５        広帯域ＡＦＣ回路
５１      キャリア抽出部
５２      ＤＢＰＳＫ復調部
５３      同期信号検出部
５４      キャリアオフセット推定部
６        第２の広帯域ＡＦＣ回路
６１      キャリア外低抽出部
６２      キャリア外高抽出部
６３      低側レベル測定部
６４      高側レベル測定部
６５      キャリアオフセット推定部
ＦＯ      ＯＦＤＭ波の周波数帯域
ＦＬ      低周波数帯域
ＦＨ      高周波数帯域
【図１】
2020155871.tif 000003
【図２】
2020155871.tif 000004
【図３】
2020155871.tif 000005
【図４】
2020155871.tif 000006
【図５】
2020155871.tif 000007
【図６】
2020155871.tif 000008